【手続補正書】
【提出日】平成20年10月27日(2008.10.27)
【手続補正１】
【補正対象書類名】特許請求の範囲
【補正対象項目名】全文
【補正方法】変更
【補正の内容】
【特許請求の範囲】
【請求項１】
ネットワーク上の他の画像形成装置とのデータの送受信が可能な画像形成装置であって、
自装置内で管理するデータをマスターデータとして記憶する記憶手段と、
自装置及び他の画像形成装置を含む前記ネットワーク上の各画像形成装置で管理されているデータの格納場所を含む、該データに関する管理情報を管理する管理手段と、
印刷指示による印刷対象のデータを、前記管理情報を参照して取得する取得手段と、
前記取得手段で取得したデータを印刷する印刷手段と、
前記印刷対象のデータを自装置以外の他の画像形成装置から取得して前記印刷手段で印刷した場合の印刷回数が所定の回数を超えた場合に、前記他の画像形成装置から取得したデータを、当該画像形成装置内の前記記憶手段で管理するマスターデータとして前記記憶手段に記憶する記憶制御手段と
を備えることを特徴とする画像形成装置。
【請求項２】
前記印刷対象のデータを自装置以外の他の画像形成装置から取得して前記印刷手段で印刷した場合の第１印刷回数と、前記データの他の画像形成装置における第２印刷回数とを比較する比較手段を更に備え、
前記記憶制御手段は、前記比較手段の比較の結果、前記第１印刷回数が前記第２印刷回数より大きい場合、前記他の画像形成装置から取得したデータを、当該画像形成装置内の前記記憶手段で記憶するマスターデータとして記憶する
ことを特徴とする請求項１に記載の画像形成装置。
【請求項３】
前記比較手段は、前記印刷手段による印刷が完了する毎に前記比較を実行する
ことを特徴とする請求項２に記載の画像形成装置。
【請求項４】
自装置及び他の画像形成装置でそれぞれ管理される前記マスターデータを表示し、表示されているマスターデータから任意のマスターデータを指定して印刷指示を行うための操作画面を表示する表示手段を更に備える
ことを特徴とする請求項１乃至３のいずれか１項に記載の画像形成装置。
【請求項５】
前記印刷対象のデータが前記他の画像形成装置で管理されている場合、該データ及びそのデータの前記他の画像形成装置における前記第２印刷回数を該他の画像形成装置から受信する受信手段を更に備え、
前記比較手段は、前記印刷手段による印刷の完了後の１回目の比較によって、前記第１印刷回数が前記第２印刷回数より大きい場合、２回目の比較として、前記受信手段から前記第２印刷回数を再度受信して、その第２印刷回数と前記第１印刷回数とを再度比較する
ことを特徴とする請求項２または３に記載の画像形成装置。
【請求項６】
前記記憶制御手段は、前記比較手段による２回目の比較の結果、前記第１印刷回数が前記第２印刷回数より大きい場合、前記他の画像形成装置から取得したデータを、当該画像形成装置内の前記記憶手段で記憶するマスターデータとして記憶する
ことを特徴とする請求項５に記載の画像形成装置。
【請求項７】
複数の画像形成装置がネットワークを介して相互にデータの送受信が可能な画像形成システムであって、
前記複数の画像形成装置それぞれは、
自装置内で管理するデータをマスターデータとして記憶する記憶手段と、
自装置及び他の画像形成装置を含む前記ネットワーク上の各画像形成装置で管理されているデータの格納場所を含む、該データに関する管理情報を管理する管理手段と、
印刷指示による印刷対象のデータを、前記管理情報を参照して取得する取得手段と、
前記取得手段で取得したデータを印刷する印刷手段と、
前記印刷対象のデータを自装置以外の他の画像形成装置から取得して前記印刷手段で印刷した場合の印刷回数が所定の回数を超えた場合に、前記他の画像形成装置から取得したデータを、当該画像形成装置内の前記記憶手段で管理するマスターデータとして前記記憶手段に記憶する記憶制御手段と
を備えることを特徴とする画像形成システム。
【請求項８】
ネットワーク上の他の画像形成装置とのデータの送受信が可能な画像形成装置の制御方法であって、
記憶媒体上で管理される、自装置及び他の画像形成装置を含む前記ネットワーク上の各画像形成装置で管理されているデータの格納場所を含む、該データに関する管理情報を参照して、印刷指示による印刷対象のデータを取得する取得工程と、
前記取得工程で取得したデータを印刷する印刷工程と、
前記印刷対象のデータを自装置以外の他の画像形成装置から取得して前記印刷工程で印刷した場合の印刷回数が所定の回数を超えた場合に、前記他の画像形成装置から取得したデータを、当該画像形成装置内の記憶装置で管理するマスターデータとして前記記憶装置に記憶する記憶制御工程と
を備えることを特徴とする画像形成装置の制御方法。
【請求項９】
ネットワーク上の他の画像形成装置とのデータの送受信が可能な画像形成装置の制御をコンピュータに実行させるためのプログラムであって、
記憶媒体上で管理される、自装置及び他の画像形成装置を含む前記ネットワーク上の各画像形成装置で管理されているデータの格納場所を含む、該データに関する管理情報を参照して、印刷指示による印刷対象のデータを取得する取得工程と、
前記取得工程で取得したデータを印刷する印刷工程と、
前記印刷対象のデータを自装置以外の他の画像形成装置から取得して前記印刷工程で印刷した場合の印刷回数が所定の回数を超えた場合に、前記他の画像形成装置から取得したデータを、当該画像形成装置内の記憶装置で管理するマスターデータとして前記記憶装置に記憶する記憶制御工程と
をコンピュータに実行させることを特徴とするプログラム。
【手続補正２】
【補正対象書類名】明細書
【補正対象項目名】０００８
【補正方法】変更
【補正の内容】
【０００８】
上記の目的を達成するための本発明による画像形成装置は以下の構成を備える。即ち、
自装置内で管理するデータをマスターデータとして記憶する記憶手段と、
自装置及び他の画像形成装置を含む前記ネットワーク上の各画像形成装置で管理されているデータの格納場所を含む、該データに関する管理情報を管理する管理手段と、
印刷指示による印刷対象のデータを、前記管理情報を参照して取得する取得手段と、
前記取得手段で取得したデータを印刷する印刷手段と、
前記印刷対象のデータを自装置以外の他の画像形成装置から取得して前記印刷手段で印刷した場合の印刷回数が所定の回数を超えた場合に、前記他の画像形成装置から取得したデータを、当該画像形成装置内の前記記憶手段で管理するマスターデータとして前記記憶手段に記憶する記憶制御手段と
を備える。
【手続補正３】
【補正対象書類名】明細書
【補正対象項目名】０００９
【補正方法】変更
【補正の内容】
【０００９】
また、好ましくは、前記印刷対象のデータを自装置以外の他の画像形成装置から取得して前記印刷手段で印刷した場合の第１印刷回数と、前記データの他の画像形成装置における第２印刷回数とを比較する比較手段を更に備え、
前記記憶制御手段は、前記比較手段の比較の結果、前記第１印刷回数が前記第２印刷回数より大きい場合、前記他の画像形成装置から取得したデータを、当該画像形成装置内の前記記憶手段で記憶するマスターデータとして記憶する。
【手続補正４】
【補正対象書類名】明細書
【補正対象項目名】００１４
【補正方法】変更
【補正の内容】
【００１４】
上記の目的を達成するための本発明による画像形成システムは以下の構成を備える。即ち、
複数の画像形成装置がネットワークを介して相互にデータの送受信が可能な画像形成システムであって、
前記複数の画像形成装置それぞれは、
自装置内で管理するデータをマスターデータとして記憶する記憶手段と、
自装置及び他の画像形成装置を含む前記ネットワーク上の各画像形成装置で管理されているデータの格納場所を含む、該データに関する管理情報を管理する管理手段と、
印刷指示による印刷対象のデータを、前記管理情報を参照して取得する取得手段と、
前記取得手段で取得したデータを印刷する印刷手段と、
前記印刷対象のデータを自装置以外の他の画像形成装置から取得して前記印刷手段で印刷した場合の第１印刷回数と、前記データの他の画像形成装置における第２印刷回数とを比較する比較手段と、
前記印刷対象のデータを自装置以外の他の画像形成装置から取得して前記印刷手段で印刷した場合の印刷回数が所定の回数を超えた場合に、前記他の画像形成装置から取得したデータを、当該画像形成装置内の前記記憶手段で管理するマスターデータとして前記記憶手段に記憶する記憶制御手段と
を備える。
【手続補正５】
【補正対象書類名】明細書
【補正対象項目名】００１５
【補正方法】変更
【補正の内容】
【００１５】
上記の目的を達成するための本発明による画像形成装置の制御方法は以下の構成を備える。即ち、
ネットワーク上の他の画像形成装置とのデータの送受信が可能な画像形成装置の制御方法であって、
記憶媒体上で管理される、自装置及び他の画像形成装置を含む前記ネットワーク上の各画像形成装置で管理されているデータの格納場所を含む、該データに関する管理情報を参照して、印刷指示による印刷対象のデータを取得する取得工程と、
前記取得工程で取得したデータを印刷する印刷工程と、
前記印刷対象のデータを自装置以外の他の画像形成装置から取得して前記印刷工程で印刷した場合の第１印刷回数と、前記データの他の画像形成装置における第２印刷回数とを比較する比較工程と、
前記印刷対象のデータを自装置以外の他の画像形成装置から取得して前記印刷工程で印刷した場合の印刷回数が所定の回数を超えた場合に、前記他の画像形成装置から取得したデータを、当該画像形成装置内の記憶装置で管理するマスターデータとして前記記憶装置に記憶する記憶制御工程と
を備える。
【手続補正６】
【補正対象書類名】明細書
【補正対象項目名】００１６
【補正方法】変更
【補正の内容】
【００１６】
上記の目的を達成するための本発明によるプログラムは以下の構成を備える。即ち、
ネットワーク上の他の画像形成装置とのデータの送受信が可能な画像形成装置の制御をコンピュータに実行させるためのプログラムであって、
記憶媒体上で管理される、自装置及び他の画像形成装置を含む前記ネットワーク上の各画像形成装置で管理されているデータの格納場所を含む、該データに関する管理情報を参照して、印刷指示による印刷対象のデータを取得する取得工程と、
前記取得工程で取得したデータを印刷する印刷工程と、
前記印刷対象のデータを自装置以外の他の画像形成装置から取得して前記印刷工程で印刷した場合の第１印刷回数と、前記データの他の画像形成装置における第２印刷回数とを比較する比較工程と、
前記印刷対象のデータを自装置以外の他の画像形成装置から取得して前記印刷工程で印刷した場合の印刷回数が所定の回数を超えた場合に、前記他の画像形成装置から取得したデータを、当該画像形成装置内の記憶装置で管理するマスターデータとして前記記憶装置に記憶する記憶制御工程と
をコンピュータに実行させることを特徴とする。